(57)【特許請求の範囲】
【請求項１】
開口部を有する地板と、前記開口部を開閉するべく前記地板に可動に配置された羽根部材と、前記羽根部材を駆動するべく一方向に付勢された駆動部材と、前記駆動部材を付勢力に抗しつつシャッタ動作開始前のセット位置に吸着保持するべく磁気回路の一部を形成するヨーク及び前記ヨークの周りに巻回された励磁用のコイルを含む電磁石と、を備えたカメラ用シャッタであって、
前記電磁石は、前記コイルの通電により生じる起磁力を補助するべく、前記ヨーク内で発生する磁界に沿って磁極が配置されるよう前記ヨークに埋設された永久磁石を含む、
ことを特徴とするカメラ用シャッタ。
【請求項２】
前記ヨークは、略Ｕ字状に形成されて、一方の磁極を生じる一方側磁極部と、他方の磁極を生じる他方側磁極部と、前記一方側磁極部及び他方側磁極部を接続する屈曲部と、を含み、
前記永久磁石は、前記屈曲部に配置されている、
ことを特徴とする請求項１に記載のカメラ用シャッタ。
【請求項３】
前記永久磁石は、前記屈曲部により画定される磁気回路の断面を占有するように埋設されている、
ことを特徴とする請求項２に記載のカメラ用シャッタ。
【請求項４】
前記電磁石のコイルは、前記駆動部材を吸着保持する際に前記永久磁石が発生する磁力線と同じ向きの磁力線を生じるように正通電され、前記駆動部材の吸着保持を解除する際に非通電にされる、
ことを特徴とする請求項１ないし３いずれか一つに記載のカメラ用シャッタ。
【請求項５】
前記電磁石のコイルは、前記駆動部材を吸着保持する際に前記永久磁石が発生する磁力線と同じ向きの磁力線を生じるように正通電され、前記駆動部材の吸着保持を解除する際に前記永久磁石が発生する磁力線と逆向きの磁力線を生じるように逆通電にされる、
ことを特徴とする請求項１ないし３いずれか一つに記載のカメラ用シャッタ。
【請求項６】
請求項１ないし５いずれか一つに記載のカメラ用シャッタを備えた、
ことを特徴とするカメラ。
【発明の詳細な説明】
【技術分野】
【０００１】
本発明は、磁気回路を画定するヨーク（鉄芯）及び励磁用のコイルを備えた電磁石を用いたカメラ用シャッタ及びカメラに関し、特に、省スペース化、省電力化、小型化等が求められるデジタルビデオカメラ、デジタルスチルカメラ等の光学機器に適用される電磁石、それを用いたカメラ用シャッタ及びカメラに関する。
【背景技術】
【０００２】
従来のカメラ用シャッタとしては、開口部を有するシャッタ地板、開口部を開閉するべく地板に可動に配置された先羽根及び後羽根（羽根部材）、先羽根及び後羽根をそれぞれ駆動するべく（駆動バネにより）一方向に付勢された先羽根駆動部材及び後羽根駆動部材、先羽根駆動部材及び後羽根駆動部材を付勢力に抗しつつシャッタ動作開始前のセット位置にセットするセットレバー、セット位置にセットされた先羽根駆動部材及び後羽根駆動部材（の鉄片）をそれぞれ吸着保持する二つの電磁石を備え、電磁石が、磁気回路を画定する略Ｕ字状のヨーク（鉄芯）及びヨークに巻回された励磁用のコイルから構成され、コイルへの通電により磁力を発生させて先羽根駆動部材及び後羽根駆動部材（の鉄片）をそれぞれ吸着保持し、コイルへの通電を断つことにより、先羽根及び後羽根に（駆動バネの付勢力により）シャッタ動作を行わせるようにしたものが知られている（例えば、特許文献１参照）。
【０００３】
このカメラ用シャッタにおいて、シャッタ速度を速くしようとする（シャッタ動作を速くする）場合、より強力な付勢力を及ぼす駆動バネが必要になると共に、駆動バネの付勢力に抗して先羽根駆動部材及び後羽根駆動部材をセット位置に吸着保持するべくより強力な電磁石が必要になる。
そこで、電磁石の強力化を図るべく、ヨーク（の磁気回路断面積）の大型化、コイルの巻き数の増加等を行うと、電磁石の大型化すなわち配置スペースの増大を招き、又、起磁力の増加による消費電力の増加等を招く。
【０００４】
一方、他のカメラ用シャッタとしては、上記のカメラ用シャッタと同様に、開口部を有する基板（シャッタ地板）、先幕及び後幕（羽根部材）、先幕駆動レバー及び後幕駆動レバー（先羽根駆動部材及び後羽根駆動部材）、セット部材（セットレバー）、二つの電磁石を備え、一方の電磁石が上記同様の構成からなり、他方の電磁石が、磁気回路を画定するヨーク（鉄芯）、励磁用のコイル、ヨークに固定された永久磁石から構成されて、コイルへの非通電状態で永久磁石による磁力を発生させて後幕駆動レバー（の可動鉄片）を吸着保持し、コイルへの通電により永久磁石による磁力を弱めて（磁極を相殺して）吸着状態を解除するようにした自己保持型ソレノイドとして形成されたものが知られている（例えば、特許文献２を参照）
【０００５】
しかしながら、この自己保持ソレノイドとして形成された電磁石では、永久磁石による磁力だけが吸着保持力として利用され、又、コイルへの通電による電磁石としての起磁力が永久磁石の磁力を相殺するために利用されるものであるため、強力な駆動バネの付勢力に打ち勝つには、より強力な磁力を生じるべく永久磁石の大型化を招き、それ故に、強力な永久磁石の磁力を相殺するには電磁石の強力化（ヨークの大型化、コイルの巻き数の増加等）を招く。
【先行技術文献】
【特許文献】
【０００６】
【特許文献１】特開平９−１３３９４４号公報
【特許文献２】特開２０１２−１１８１４３号公報
【発明の概要】
【発明が解決しようとする課題】
【０００７】
本発明は、上記の事情に鑑みて成されたものであり、その目的とするところは、構造の簡素化、小型化、省スペース化、省電力化等を図りつつ、例えばシャッタ速度の高速化等に対応する所望の磁力（吸着保持力）を発生させることのできる電磁石を用いたカメラ用シャッタ及びカメラを提供することにある。
【課題を解決するための手段】
【０００８】
本発明のカメラ用シャッタは、開口部を有する地板と、開口部を開閉するべく地板に可動に配置された羽根部材と、羽根部材を駆動するべく一方向に付勢された駆動部材と、駆動部材を付勢力に抗しつつシャッタ動作開始前のセット位置に吸着保持するべく磁気回路の一部を形成するヨーク及びヨークの周りに巻回された励磁用のコイルを含む電磁石と、を備えたカメラ用シャッタであって、上記電磁石は、コイルの通電により生じる起磁力を補助するべく磁気回路内に配置された永久磁石を含む、ことを特徴としている。
この構成によれば、駆動部材が（駆動バネ等の）付勢力に抗してシャッタ動作開始前のセット位置に位置付けられると、電磁石（のコイル）が通電されて駆動部材が吸着保持されると共に羽根部材がシャッタ動作開始前の状態に保持され、所望のタイミングで電磁石（のコイル）が非通電とされると、電磁石による吸着保持が解除されて、駆動部材（及び羽根部材）は付勢力によりシャッタ動作を行って撮影動作が完了する。
ここでは、電磁石として、コイルの通電により生じる起磁力を補助するべく磁気回路内に配置された永久磁石を含む電磁石を採用するため、構造の簡素化、小型化、省スペース化、省電力化等を達成しつつ、シャッタ速度を速くすることができる。
すなわち、コイルに通電して電磁石として使用する場合に、永久磁石が通電により生じる起磁力を補助するように作用する、すなわち、コイルへの通電により生じる磁力線と同じ向きに永久磁石が及ぼす磁力線が方向付けられて作用するため、全体としての磁力線（磁束密度）が増加し、ヨーク（弱磁性材料等により形成されて磁気回路を画定する部材）の大型化、コイル巻き線の増加、及び通電量の増加を招くことなく、強力な電磁石を得ることができる。
【０００９】
上記構成をなすカメラ用シャッタにおいて、ヨークは、略Ｕ字状に形成されて、一方の磁極を生じる一方側磁極部と、他方の磁極を生じる他方側磁極部と、一方側磁極部及び他方側磁極部を接続する屈曲部を含み、永久磁石は、屈曲部に配置されている、構成を採用することができる。
この構成によれば、略Ｕ字状をなすヨークの一方側磁極部の端部及び他方側磁極部の端部が、駆動部材を吸着保持する部分として作用し、両者の中間領域である屈曲部に永久磁石が配置されるため、一方側磁極部及び他方側磁極部に対して、永久磁石が及ぼす磁力（磁力線）を均等に発生させることができる。
【００１０】
上記構成をなすカメラ用シャッタにおいて、永久磁石は、屈曲部により画定される磁気回路の断面を占有するように埋設されている、構成を採用することができる。
この構成によれば、ヨークの屈曲部に磁気回路の断面を占有するように永久磁石を埋設することで、一方側磁極部の磁気回路の断面に対応するように永久磁石の一方の磁極（Ｎ極又はＳ極）を対向させ、他方側磁極部の磁気回路の断面に対応するように永久磁石の他方の磁極（Ｓ極又はＮ極）を対向させて、永久磁石が及ぼす磁力線を効率よく（漏れなく）磁気回路に導くことができ、それ故に、電磁石の起磁力を補助する永久磁石の小型化を達成しつつ、電磁石全体としての小型化を達成することができる。
【００１１】
上記構成をなすカメラ用シャッタにおいて、電磁石のコイルは、駆動部材を吸着保持する際に永久磁石が発生する磁力線と同じ向きの磁力線を生じるように正通電され、駆動部材の吸着保持を解除する際に非通電にされる、構成を採用することができる。
この構成によれば、駆動部材がシャッタ動作前のセット位置にセットされても、コイルに通電しない場合は、駆動部材を磁気的吸引力により吸着せず（そのような永久磁石の大きさとする）、コイルに通電する（所定の電量を流す）と、駆動部材を吸着保持することができ、一方、コイルの通電を断つと、（その際の逆起電力により永久磁石の磁力も弱められて）駆動部材を吸着状態から解放することができ、円滑なシャッタ動作を行わせることができる。
【００１２】
上記構成をなすカメラ用シャッタにおいて、電磁石のコイルは、駆動部材を吸着保持する際に永久磁石が発生する磁力線と同じ向きの磁力線を生じるように正通電され、駆動部材の吸着保持を解除する際に永久磁石が発生する磁力線と逆向きの磁力線を生じるように逆通電にされる、構成を採用することができる。
この構成によれば、駆動部材がシャッタ動作開始前のセット位置にセットされても、コイルに通電しない場合は、駆動部材を磁気的吸引力により吸着せず（そのような永久磁石の大きさとする）、コイルに通電する（所定の電量を流す）と、駆動部材を吸着保持することができ、一方、コイルに逆通電する（所定の逆向きの電量を流す）と、永久磁石の磁力を相殺してより確実に駆動部材を吸着状態から解放することができ、より円滑なシャッタ動作を行わせることができる。
【００１３】
本発明のカメラは、上記に記載のいずれかの構成をなすカメラ用シャッタを備えた、ことを特徴としている。
この構成によれば、羽根部材を駆動する駆動部材を吸着保持する電磁石として、上記のように、コイルの通電により生じる起磁力を補助するべく磁気回路内に配置された永久磁石を含む電磁石を採用するため、構造の簡素化、小型化、省スペース化、省電力化等を達成しつつ、シャッタ速度の高速化を達成できるカメラを得ることができる。
【発明の効果】
【００１４】
上記構成をなすカメラ用シャッタによれば、構造の簡素化、小型化、省スペース化、省電力化等を達成しつつ、例えばシャッタ速度の高速化等に対応する所望の磁力（吸着保持力）を発生させることのできる電磁石を備えたカメラ用シャッタ及びカメラを得ることができる。
【図面の簡単な説明】
【００１５】
【図１】本発明に係るカメラ用シャッタの一実施形態を示すものであり、羽根部材（先羽根及び後羽根）がシャッタ動作（露光動作）を完了した状態を示す平面図である。
【図２】本発明に係るカメラ用シャッタの一実施形態を示すものであり、駆動部材（先羽根駆動部材及び後羽根駆動部材）及び羽根部材（先羽根及び後羽根）がチャージされてシャッタ動作（露光動作）開始前のセット位置にセットされた状態を示す平面図である。
【図３】本発明に係るカメラ用シャッタに含まれる駆動部材（先羽根駆動部材、後羽根駆動部材）、電磁石等を部分的に示す部分側面図である。
【図４】本発明に係るカメラ用シャッタに含まれる電磁石を示す断面図である。
【図５】本発明に係るカメラ用シャッタに含まれる電磁石が正通電されて、発生した起磁力が駆動部材（先羽根駆動部材、後羽根駆動部材）を吸着保持した状態を示す断面図である。
【図６】本発明に係るカメラ用シャッタに含まれる電磁石が非通電とされて、駆動部材（先羽根駆動部材、後羽根駆動部材）を吸着保持する起磁力が消滅した状態を示す断面図である。
【図７】本発明に係るカメラ用シャッタに含まれる電磁石が逆通電とされて、逆向きの起磁力が永久磁石の磁力を相殺した状態を示す断面図である。
【発明を実施するための形態】
【００１６】
以下、本発明の実施形態について、添付図面を参照しつつ説明する。
この実施形態に係るカメラ用シャッタ（フォーカルプレンシャッタ）は、図１及び図２に示すように、略矩形の地板１０、地板１０に平行に配置して固定された支持板２０、地板１０に対して移動自在に設けられた羽根部材としての先羽根３０及び後羽根４０、先羽根３０を駆動するべく一方向に回転付勢された駆動部材としての先羽根駆動部材５０、後羽根４０を駆動するべく一方向に回転付勢された駆動部材としての後羽根駆動部材６０、先羽根駆動部材５０及び後羽根駆動部材６０をシャッタ動作開始前のセット位置にセットするセット部材（不図示）、セット位置にセットされた先羽根駆動部材５０及び後羽根駆動部材６０を吸着して保持する二つの電磁石７０，７０等を備えている。
【００１７】
地板１０は、図１及び図２に示すように、略矩形の平板状に形成されており、略矩形をなす露光用の開口部１０ａ、円弧部分及び半円部分が連続する長孔１０ｂ及び長孔１０ｃ、先羽根３０を回動自在に支持するべく立設された支持軸１０ｄ，１０ｅ、後羽根４０を回動自在に支持するべく立設された支持軸１０ｆ，１０ｇ、先羽根駆動部材５０を回動自在に支持する支持軸１０ｈ、後羽根駆動部材６０を回動自在に支持する支持軸１０ｉ、セット部材を回動自在に支持するべく立設された支持軸（不図示）等を備えている。
尚、地板１０には、先羽根３０を収容する羽根室を画定する中間板（不図示）、後羽根４０を収容する羽根室を画定する裏板（不図示）が所定の間隔をおいて固定されている。
支持板２０は、二つの電磁石７０，７０を保持すると共に支持軸１０ｈ，１０ｉ等の先端部を嵌合させて支持するように形成されている。
【００１８】
先羽根３０は、図１及び図２に示すように、４枚の羽根本体３１，３２，３３，３４、羽根本体３１，３２，３３，３４を連結する２つのアーム３５，３６により構成されている。
アーム３５は、支持軸１０ｄにより回動自在に支持されると共に、その一部が先羽根駆動部材５０の駆動ピン５０ａに連結されている。
アーム３６は、支持軸１０ｅにより回動自在に支持されている。
そして、アーム３５が、図１に示すように、先羽根駆動部材５０により図中の上方に向けて（時計回りに）駆動されることにより、４枚の羽根本体３１，３２，３３、３４が重なり合って開口部１０ａを開放し、一方、図２に示すように、先羽根駆動部材５０により図中の下方に向けて（反時計回りに）駆動されることにより、４枚の羽根本体３１，３２，３３，３４が展開して開口部１０ａを閉鎖するようになっている。
【００１９】
後羽根４０は、図１及び図２に示すように、４枚の羽根本体４１，４２，４３，４４、羽根本体４１，４２，４３，４４を連結する２つのアーム４５，４６により構成されている。
アーム４５は、支持軸１０ｆにより回動自在に支持されると共に、その一部が後羽根駆動部材６０の駆動ピン６０ａに連結されている。
アーム４６は、支持軸１０ｇにより回動自在に支持されている。
そして、アーム４５が、図１に示すように、後羽根駆動部材６０により図中の上方に向けて（時計回りに）駆動されることにより、４枚の羽根本体４１，４２，４３，４４が展開して開口部１０ａを閉鎖し、一方、図２に示すように、後羽根駆動部材６０により図中の下方に向けて（反時計回りに）駆動されることにより、４枚の羽根本体４１，４２，４３，４４が重なり合って開口部１０ａを開放するようになっている。
【００２０】
先羽根駆動部材５０は、図１ないし図３に示すように、アーム３５が連結される駆動ピン５０ａ、セット部材が係合して反時計回りに回転力が及ぼされる係合部５０ｂ、電磁石７０により吸着される被吸着部５０ｃ、支持軸１０ｈを嵌合させる円筒部５０ｄ等を備えており、支持軸１０ｈの周りに配置された捩りコイルバネ等の駆動バネ５１により、図１及び図２中において時計回りに回転付勢されると共に、支持軸１０ｈにより回動自在に支持されている。
【００２１】
後羽根駆動部材６０は、図１ないし図３に示すように、アーム４５が連結される駆動ピン６０ａ、セット部材が係合して反時計回りに回転力が及ぼされる係合部６０ｂ、電磁石７０により吸着される被吸着部６０ｃ、支持軸１０ｉを嵌合させる円筒部６０ｄ等を備えており、支持軸１０ｉの周りに配置された捩りコイルバネ等の駆動バネ６１により、図１及び図２中において時計回りに回転付勢されると共に、支持軸１０ｉにより回動自在に支持されている。
【００２２】
電磁石７０は、図４に示すように、支持板２０に保持されており、磁気回路の一部を画定するヨーク７１、ヨーク７１に嵌合されたボビン７２、ボビン７２の周りに巻回された励磁用のコイル７３、コイル７３の通電により生じる起磁力を補助するべく磁気回路内に配置された永久磁石７４等を備えている。
【００２３】
ヨーク７１は、図４に示すように、略Ｕ字状に形成されて、一方の磁極（Ｎ極又はＳ極）を生じる一方側磁極部７１ａ、他方の磁極（Ｓ極又はＮ極）を生じる他方側磁極部７１ｂ、一方側磁極部７１ａ及び他方側磁極部７１ｂを接続する屈曲部７１ｃを含むように、鉄等の弱磁性材料により形成されている。
一方側磁極部７１ａ及び他方側磁極部７１ｂは、矩形断面をなすと共に直線上に伸長するように形成されている。ここでは、一方側磁極部７１ａの端部７１ａ´及び他方側磁極部７１ｂの端部７１ｂ´が、被吸着部５０ｃ，６０ｃ（被吸着体）を吸着保持する吸着部として作用する。
屈曲部７１ｃは、一方側磁極部７１ａと他方側磁極部７１ｂを一体的に接続する領域であり、矩形断面をなすと共に、その中央においてその断面を略占有するように矩形状に形成されて永久磁石７４を嵌合して埋設し得る嵌合孔７１ｄを備えている。
嵌合孔７１ｄは、図４に示すように、ヨーク７１の中心線ＣＬ上に対称的に位置するように形成されている。
【００２４】
ボビン７２は、図４に示すように、ヨーク７１の一方側磁極部７１ａに嵌め込まれて固定されると共に、二つの接続端子を支持板２０側に向けて突出させるように埋設して保持するように形成されている。
コイル７３は、図４に示すように、ボビン７２の周りに巻回されており、その両端部が二つの接続端子に電気的に接続されている。
【００２５】
永久磁石７４は、図４に示すように、略直方体状に形成され、ヨーク７１の中心線ＣＬを通る嵌合孔７１ｄに嵌合して埋設され、ここでは、Ｎ極が一方側磁極部７１ａに対向すると共にＳ極が他方側磁極部７１ｂに対向するように配置されている。ここで、永久磁石７４は、コイル７３に通電しない非通電の状態で、それが及ぼす磁力だけでは吸着部７１ａ´，７１ｂ´を介して被吸着部５０ｃ，６０ｃ（被吸着体）を吸着保持できない程度の磁力を発生する大きさに形成されている。
ここでは、永久磁石７４が屈曲部７１ｃに配置されているため、略Ｕ字状をなすヨーク７１の一方側磁極部７１ａの端部７１ａ´及び他方側磁極部７１ｂの端部７１ｂ´が、被吸着部５０ｃ，６０ｃ（被吸着体）を吸着保持する部分として作用し、又、両者の中間領域である屈曲部７１ｃに永久磁石７４が配置されるため、一方側磁極部７１ａ及び他方側磁極部７１ｂに対して、永久磁石７４が及ぼす磁力（磁力線）を対称的に発生させることができる。
また、永久磁石７４が屈曲部７１ｃにより画定される磁気回路の断面を占有するように埋設されているため、一方側磁極部７１ａの磁気回路の断面に対応するように永久磁石７４の一方の磁極（Ｎ極又はＳ極）を対向させ、他方側磁極部７１ｂの磁気回路の断面に対応するように永久磁石７４の他方の磁極（Ｓ極又はＮ極）を対向させて、永久磁石７４が及ぼす磁力線を効率よく（漏れなく）磁気回路に導くことができ、それ故に、電磁石７０の起磁力を補助する永久磁石７４の小型化を達成しつつ、電磁石７０全体としての小型化を達成することができる。
【００２６】
上記構成をなす電磁石７０によれば、図５ないし図７に示すように、コイル７３に通電して電磁石７０として使用する場合に、永久磁石７４が通電により生じる起磁力を補助するように作用する、すなわち、コイル７３への通電により生じる磁力線と同じ向きに永久磁石７４が及ぼす磁力線が方向付けられて作用するため、全体としての磁力線（磁束密度）が増加し、ヨーク７１（弱磁性材料等により形成されて磁気回路を画定する部材）の大型化、コイル７３の巻き線の増加、及び通電量の増加を招くことなく、強力な電磁石を得ることができる。
したがって、コイル７３に通電しない場合は、被吸着部５０ｃ，６０ｃ（被吸着体）を磁気的吸引力により吸着せず、コイル７３に通電する（所定の電量を流す）と、被吸着部５０ｃ，６０ｃ（被吸着体）を吸着保持することができ、一方、コイル７３の通電を断つと、（その際の逆起電力により永久磁石７４の磁力も弱められて）被吸着部５０ｃ，６０ｃ（被吸着体）を吸着状態から解放することができ、又、コイル７３に逆通電する（所定の逆向きの電量を流す）と、永久磁石７４の磁力を相殺してより確実に被吸着部５０ｃ，６０ｃ（被吸着体）を吸着状態から解放することができるようになっている。
【００２７】
また、上記構成において、先羽根駆動部材５０は、支持軸１０ｈにより回動自在に支持されると共に駆動バネ５１により時計回りに回転付勢され、駆動ピン５０ａが長孔１０ｂに挿入されて先羽根３０のアーム３５に連結されており、休止状態で駆動バネ５１により時計回りに回転させられて先羽根３０を開放位置に移動させ、一方、セット部材により反時計回りに回転させられて先羽根３０を閉鎖位置に移動させ、電磁石７０の通電により被吸着部５０ｃが吸着されてシャッタ動作開始前のセット位置に保持され、電磁石７０を非通電とすることにより起磁力による吸着が解除されて、駆動バネ５１の付勢力により時計回りに回転させられて先羽根３０を開放位置に移動させるようになっている。
【００２８】
一方、後羽根駆動部材６０は、支持軸１０ｉにより回動自在に支持されると共に駆動バネ６１により時計回りに回転付勢され、駆動ピン６０ａが長孔１０ｃに挿入されて後羽根４０のアーム４５に連結されており、休止状態で駆動バネ６１により時計回りに回転させられて後羽根４０を閉鎖位置に移動させ、一方、セット部材により反時計回りに回転させられて後羽根４０を開放位置に移動させ、電磁石７０の通電により被吸着部６０ｃが吸着されてシャッタ動作開始前のセット位置に保持され、電磁石７０を非通電とすることにより起磁力による吸着が解除されて、駆動バネ６１の付勢力により時計回りに回転させられて後羽根４０を閉鎖位置に移動させるようになっている。
【００２９】
次に、このカメラ用シャッタ（フォーカルプレンシャッタ）の動作について、図１、図２、図５ないし図７を参照しつつ説明する。
先ず、シャッタ動作完了後の休止状態においては、図１に示すように、先羽根駆動部材５０は駆動バネ５１の付勢力により時計回りに回転して駆動ピン５０ａが長孔１０ｂの端部に設けられた緩衝ゴムに当接して停止し、先羽根３０は開口部１０ａを開放した位置に位置し、又、後羽根駆動部材６０は駆動バネ６１の付勢力により時計回りに回転して駆動ピン６０ａが長孔１０ｃの端部に設けられた緩衝ゴムに当接して停止し、後羽根４０は開口部１０ａを閉鎖した位置に位置している。
【００３０】
ここで、レリーズ動作等により、シャッタ動作の準備指令が発せられると、セット部材（不図示）が時計回りに回転して、図２に示すように、先羽根駆動部材５０を反時計回りに回転させてシャッタ動作開始前のセット位置（先羽根３０が開口部１０ａを閉鎖した状態）に位置付け、かつ、後羽根駆動部材６０を反時計回りに回転させてシャッタ動作開始前のセット位置（後羽根４０が開口部１０ａを開放した状態）に位置付け、続いて、電磁石７０，７０が正通電されると、被吸着部５０ｃ，６０ｃを吸着して先羽根駆動部材５０及び後羽根駆動部材６０を時計回りに回転付勢する駆動バネ５１，６１の付勢力に抗してセット位置に保持する。そして、セット部材が反時計回りに回転して、先羽根駆動部材５０及び後羽根駆動部材６０の時計回りの回転を規制する状態が解除される。
【００３１】
このとき、電磁石７０の永久磁石７４は、図５に示すように、コイル７３への通電により生じる起磁力を補助するように作用する、すなわち、コイル７３への正通電により生じる磁力線と同じ向きに永久磁石７４が及ぼす磁力線が方向付けられて作用するため、全体としての磁力線（磁束密度）が増加し、ヨーク７１の大型化、コイル７３の巻き線の増加、及び通電量の増加を招くことなく、強力な磁気的吸引力（磁力）を得ることができ、それ故に、駆動バネ５１，６１の付勢力が大きい場合であってもそれに対抗して被吸着部５０ｃ，６０ｃを確実に吸着保持することができる。
【００３２】
続いて、所望のタイミングで、先羽根駆動部材５０に対応する電磁石７０の通電が断たれる（コイル７３が非通電とされる）と、図６に示すように、（その際の逆起電力により永久磁石７４の磁力も弱められる作用も加わって）被吸着部５０ｃを吸着保持する状態が解除され、先羽根駆動部材５０が駆動バネ５１の付勢力により時計回りに回転して先羽根３０が開口部１０ａを開放し、その後の所定のタイミングにおいて、後羽根駆動部材６０に対応する電磁石７０の通電が断たれる（コイル７３が非通電とされる）と、図６に示すように、（その際の逆起電力により永久磁石７４の磁力も弱められる作用も加わって）被吸着部６０ｃを吸着保持する状態が解除され、後羽根駆動部材６０が駆動バネ６１の付勢力により時計回りに回転して後羽根４０が開口部１０ａを閉鎖し、図１に示すように、先羽根３０及び後羽根４０により、開口部１０ａの開閉動作が行われて、シャッタ動作が完了する。
尚、電磁石７０による吸着保持を解除する際に、図７に示すように、コイル７３に逆通電する（所定の逆向きの電量を流す）と、永久磁石７４の磁力を相殺してより確実に被吸着部５０ｃ，６０ｃ（被吸着体）を吸着状態から解放することができる。
【００３３】
上記構成をなすカメラ用シャッタによれば、電磁石として、上記のように、コイル７３の通電により生じる起磁力を補助するべく磁気回路内に配置された永久磁石７４を含む電磁石７０を採用するため、構造の簡素化、小型化、省スペース化、省電力化等を達成しつつ、シャッタ速度を速くすることができる。
また、上記構成をなすカメラ用シャッタを備えたカメラ、例えば、デジタルビデオカメラ、デジタルスチルカメラ等によれば、構造の簡素化、小型化、省スペース化、省電力化等を達成しつつ、シャッタ速度の高速化を行うことができる。
【００３４】
上記実施形態においては、羽根部材として先羽根３０及び後羽根４０を含み、駆動部材として先羽根駆動部材５０及び後羽根駆動部材６０を含む構成において、先羽根駆動部材５０及び後羽根駆動部材６０を吸着保持する電磁石として、本発明に係る電磁石７０を採用した場合を示したが、これに限定されるものではなく、先羽根駆動部材５０又は後羽根駆動部材６０の一方に対応させて本発明の電磁石７０を採用してもよい。
また、羽根部材として、先羽根３０及び後羽根４０の二つの羽根部材を備えた構成を示したが、これに限定されるものではなく、例えば、一つの羽根部材及び一つの駆動部材を備え、単に開口部を開放した状態から閉鎖した状態に移動することでシャッタ動作を行う構成において、駆動部材を吸着保持する電磁石として、本発明の電磁石７０を採用してもよい。
【産業上の利用可能性】
【００３５】
以上述べたように、本発明のカメラ用シャッタは、構造の簡素化、小型化、省スペース化、省電力化等を達成しつつ、所望の磁力（吸着保持力）を発生する電磁石を備えるため、小型化、省スペース化、省電力化、シャッタ速度の高速化等が求められるデジタルビデオカメラ、デジタルスチルカメラ等の種々のカメラに適用できるのは勿論のこと、その他の光学機器等においても有用である。
【符号の説明】
【００３６】
１０  地板
１０ａ  開口部
３０  先羽根（羽根部材）
４０  後羽根（羽根部材）
５０  先羽根駆動部材（駆動部材）
５１  駆動バネ
５０ｃ  被吸着部
６０  後羽根駆動部材（駆動部材）
６０ｃ  被吸着部
６１  駆動バネ
７０  電磁石
７１  ヨーク
７１ａ  一方側磁極部
７１ａ´  端部
７１ｂ  他方側磁極部
７１ｂ´  端部
７１ｃ  屈曲部
７１ｄ  嵌合孔
７２  ボビン
７３  コイル
７４  永久磁石
【図１】
0006460786.tif 000002
【図２】
0006460786.tif 000003
【図３】
0006460786.tif 000004
【図４】
0006460786.tif 000005
【図５】
0006460786.tif 000006
【図６】
0006460786.tif 000007
【図７】
0006460786.tif 000008